(57)【特許請求の範囲】
【請求項１】
衣服の前面部と後面部を返し縫いするときにともに縫製される一体又は分離された縫製地（１１０、１２０、１２０’）と前記縫製地（１１０、１２０、１２０’）の両端又は分離されたそれぞれに連結される保持紐（２００）とを形成し、
前記縫製地（１１０）を１次返し縫いする仮縫い段階（Ｓ１００）で、前記保持紐（２００）が衣服の前面部と後面部のいずれか一つの縫い代線を基準に衣服の外側に露出され、
前記縫製地（１１０、１２０、１２０’）を２次返し縫いする本縫製段階（Ｓ２００）で、衣服の前面部と後面部の外側面が対向するように重畳させた状態で、前記縫製地（１１０、１２０、１２０’）が２次返し縫い線から衣服の外側に露出されず、
前面部及び後面部の返し縫いされた衣服を覆して前記保持紐（２００）を外側に引き出すことにより、前記縫製地（１１０、１２０、１２０’）と前記保持紐（２００）の間にベルトが通過することができるようにすることを特徴とする、女性用衣服のベルト保持具。
【請求項２】
前記保持紐（２００）は前記縫製地（１１０）の長手方向の両端に連結され、少なくとも二本以上の糸が撚り合わせられた撚糸からなることを特徴とする、請求項１に記載の女性用衣服のベルト保持具。
【請求項３】
前記縫製地（１１０）は、保持紐（２００）の端部が連結された長手方向側に、保持紐（２００）の両端の間に凹んでいる露出防止凹部１１１が形成されるように構成されることを特徴とする、請求項２に記載の女性用衣服のベルト保持具。
【請求項４】
前記縫製地（１１０）は、両側に一対をなすように分離されて形成された分離型縫製地（１２０、１２０’）からなり、前記保持紐（２００）の両側端部が分離されたそれぞれの分離型縫製地（１２０、１２０’）に連結されるように構成されることを特徴とする、請求項１に記載の女性用衣服のベルト保持具。
【請求項５】
前記それぞれの分離型縫製地（１２０、１２０’）は、対向する辺が半円形突部（１２１）をなすように構成され、前記保持紐（２００）の両端が半円形突部（１２１）の端部に近くに形成されるように構成されることを特徴とする、請求項４に記載の女性用衣服のベルト保持具。
【請求項６】
衣服の縫製時に衣服に縫製される一体又は分離された縫製地（１１０、１２０、１２０’）と両端がそれぞれ縫製地（１１０、１２０、１２０’）の両端又は分離されたそれぞれに連結される保持紐（２００）とからなったベルト保持具（１）を用い、前記保持紐（２００）が前面部と後面部のいずれか一つの縫い代に前記保持紐（２００）のみ縫い代線を基準に衣服の外側に露出されるようにし、前記縫製地（１１０、１２０、１２０’）は縫い代線を基準に衣服の内側の縫い代に位置するようにして前記縫製地（１１０、１２０、１２０’）を１次返し縫いする仮縫い段階（Ｓ１００）と、
衣服の前面部と後面部の外側面が対向するように重畳させた状態で、前記縫製地（１１０、１２０、１２０’）が２次返し縫い線から衣服の外側に露出されないように縫い代線に沿って２次返し縫いする本縫製段階（Ｓ２００）と、
前面部及び後面部の返し縫いされた衣服を覆して前記保持紐（２００）を外側に引き出す保持紐引出段階（Ｓ3００）とを含んでなることを特徴とする、女性用衣服のベルト保持具の縫製方法。
【請求項７】
前記仮縫い段階（Ｓ１００）及び本縫製段階（Ｓ２００）で、衣服の前面部と後面部のいずれか一方以上が上部及び下部に分離されるように構成される場合、ベルト保持具（１）の縫製地（１１０）は両側に一対をなすように分離されて形成された分離型縫製地（１２０、１２０’）からなり、保持紐（２００）の両端がそれぞれ分離された分離型縫製地（１２０、１２０’）の対向する辺の端部に近接して形成され、いずれか一方の分離型縫製地（１２０）は上部の前面部及び後面部とともに返し縫いして縫製し、他方の分離型縫製地（１２０’）は下部の前面部と後面部とともに縫製することを特徴とする、請求項６に記載の女性用衣服のベルト保持具の縫製方法。
【発明の詳細な説明】
【技術分野】
【０００１】
本発明は女性用衣服のベルト保持具に係り、より詳しくは衣服を製作する過程で保持紐が含まれた縫製地を衣服の縫い代に縫製することにより、ベルト保持具の形成において工程上の簡素化のための女性用衣服のベルト保持具及びそのベルト保持具の縫製方法に関する。
【背景技術】
【０００２】
一般に、ベルト（Ｂｅｌｔ）は男女の区別なしに腰線に締めるストラップ（ｓｔｒａｐ）又はバンドを言い、通常にズボンなどが下がらないようにするかコートなどを締めるのに使われる。
【０００３】
このようなベルトは、特にコート、ブラウス、ワンピースなどの女性用衣服の前襟部を描き合わせるか腰線の美しさを強調するための装飾の目的で使われることもある。
【０００４】
一方、女性用衣服には、ベルトを使うためにベルトが挿入されるベルト保持具が形成されており、女性用衣服に形成されるベルト保持具の中では衣服の美麗さを阻害しないために、細い糸などから形成されたものが一般的である。
【０００５】
女性用衣服の一般的なベルト保持具は、図１に示すように、衣服の側線、すなわち衣服の前面部と後面部の継ぎ手に糸などからなったベルト保持具１０の端部が上下にそれぞれ衣服に縫製された形状を取る。
【０００６】
しかし、前記のような従来のベルト保持具は、衣服の製作が完了した後、縫製師が衣服の腰線位置に手作業で衣服に針で縫ってベルト保持具を形成するものであり、衣服を製作する過程で別に手作業で行わなければならないなどの不便さがあった。
【０００７】
また、既存のベルト保持具は単純に糸形態に構成されたものであるから、易しく切れるか、ベルト保持具に外力が加われば、衣服に縫われたベルト保持具の端部に力が加わって縫製部位が綻びるなど、布が損傷する問題があった。
【発明の概要】
【発明が解決しようとする課題】
【０００８】
本発明は従来のような問題点を解決するためになされたもので、ベルト保持具を一体型又は分割型縫製地に多数本の糸が撚り合わせられた撚糸からなった保持紐の両端が連結された構造に構成することで、衣服を製作する過程で衣服の前面部と後面部又は上部と下部を縫製する過程で前記縫製地を縫い代に縫製してベルト保持具を形成することにより、衣服製作過程でベルト保持具のための別途の手作業なしに衣服製作過程にベルト保持具を形成することができるようにする目的があり、これによる工程の簡素化及び衣服工程コストの節減をもたらすようにする女性用衣服のベルト保持具及びそのベルト保持具の縫製方法を提供することに本発明の目的がある。
【０００９】
また、ベルト保持具の構成において、多数本の糸を撚り合わせる構成によって保持紐の耐久性が一層向上し、従来のベルト保持具の形成によって衣服の布材に損傷を与えることを防止するための女性用衣服のベルト保持具及びそのベルト保持具の縫製方法を提供することに本発明の他の目的がある。
【課題を解決するための手段】
【００１０】
前記目的を達成するための本発明による女性用衣服のベルト保持具及びそのベルト保持具の縫製方法の特徴的な構成は、衣服の前面部と後面部を返し縫いするときに縫い代にともに縫製される一体又は分離された縫製地と、両端又は分離されたがそれぞれ縫製地の両側に縫製されて連結される保持紐とを含んでなる。
【００１１】
縫製地は繊維材からなって縫製時の破れを防止するように構成され、保持紐は少なくとも二本以上の糸を撚り合わせた撚糸からなり、衣服の縫製時にともに縫製される繊維材からなった縫製地と、両端がそれぞれ縫製地の両側に連結され、少なくとも二本以上の糸を撚り合わせた撚糸からなった保持紐とを含んでなるベルト保持具が用いられる。
【００１２】
保持紐が衣服の外側に露出されるように、前面部と後面部のいずれか一つの縫い代に保持紐のみ縫い代線を基準に衣服の外側に露出されるようにし、前記縫製地は縫い代線を基準に衣服内側の縫い代に位置するようにし、前記縫製地の幅の中間部分を長手方向に１次返し縫いする仮縫い段階と、衣服の前面部と後面部の外側面が対向するように重畳させた状態で、縫製地が２次返し縫い線から衣服の外側に露出されないように縫い代線に沿って２次返し縫いを行う本縫製段階と、前面部及び後面部が返し縫いされた衣服を覆して保持紐を外側に引き出す保持紐引出段階とを含むことによって達成することができる。
【発明の効果】
【００１３】
本発明によれば、保持紐が連結された縫製地を介して、衣服の前面部と後面部又は上部と下部を縫製する過程でこれらとともに縫製されるので、衣服の製作過程が簡素化するなど、衣服製作上の便利さと。これによって衣服製作コストを節減する効果を得ることができる。
【００１４】
また、外部に露出される保持紐を多数本の糸を撚り合わせて構成することにより、易しく切れないなど、耐久性が一層向上し、ベルト保持具を衣服に形成した場合、ベルト保持具に外力が加わったとき、縫製された縫製地全体に力が分散されることにより、布に損傷を加えない効果を得ることができる。
【図面の簡単な説明】
【００１５】
【図１】従来のベルト保持具が衣服に形成された状態を示した簡略図である。
【図２】本発明による女性用衣服のベルト保持具の第１実施例の斜視図である。
【図３】本発明による女性用衣服のベルト保持具の第１実施例の他の実施例を示す図である。
【図４】本発明による女性用衣服のベルト保持具の第２実施例の斜視図である。
【図５】本発明による女性用衣服のベルト保持具の第２実施例の他の実施例を示す図である。
【図６】本発明による女性用衣服のベルト保持具の縫製方法を示した全体工程図である。
【図７】本発明による女性用衣服のベルト保持具の縫製方法の仮縫い段階の簡略図である。
【図８】本発明による女性用衣服のベルト保持具の縫製方法の本縫製段階の簡略図である。
【図９】本発明による女性用衣服のベルト保持具の縫製方法の保持紐引出段階の簡略図である。
【図１０】本発明による女性用衣服のベルト保持具の縫製方法の他の実施例を示す図である。
【図１１】本発明による女性用衣服のベルト保持具の使用状態の他の実施例を示す図である。
【発明を実施するための形態】
【００１６】
この明細書及び請求範囲に使用された用語又は単語は通常的又は辞書的意味に限定して解釈されてはいけなく、発明者が自分の発明を最良の方法で説明するために用語の概念を適切に定義することができるという原則に即して本発明の技術的思想に合う意味と概念に解釈されなければならない。
【００１７】
したがって、この明細書に記載した実施例と図面に示した構成は本発明の好適な一実施例に過ぎないものであるだけ、本発明の技術的思想を全て代弁するものではないので、本出願当時にこれらを取り替えることができる多様な均等物及び変形例があり得ることを理解しなければならない。
【００１８】
以下、本発明の好適な実施例を添付図面に基づいて詳細に説明する。
【００１９】
図２は本発明による女性用衣服のベルト保持具の第１実施例の斜視図、図３は本発明による女性用衣服のベルト保持具の第１実施例の他の実施例を示す図、図４は本発明による女性用衣服のベルト保持具の第２実施例の斜視図、図５は本発明による女性用衣服のベルト保持具の第２実施例の他の実施例を示す図ある。
【００２０】
図２〜図５に示すように、本発明による女性用衣服のベルト保持具１は縫製地１１０と保持紐２００からなる。
【００２１】
縫製地１１０は、衣服（図示せず）の前面部と後面部が返し縫いされるときに前面部及び後面部とともに縫製されるものであり、衣服の前面部と後面部が返し縫いされる過程で破れることを防止するとともに衣服の外観が変形しないように薄い繊維材からなることが好ましい。
【００２２】
保持紐２００は実質的にベルト（図示せず）を着用する過程でベルトが通過する環をなすように構成されたものであり、保持紐の両端が縫製地１１０の両側に縫製されるか一体に形成される。
【００２３】
すなわち、保持紐２００は少なくとも二本以上の糸が撚り合わせられた撚糸からなったものであり、糸を撚り合わせる方式は特定の方式に限定されるものではなく、多様な方式が使用可能であろう。ただ、本発明の図面には通常の髪を結う方式と同じ方式を例として示した。
【００２４】
また、本発明のベルト保持具１の構成において、縫製地１１０と保持紐２００の連結方式も特定の方式に限定されるものではなく、多様な方式を適用することができる。
【００２５】
まず、第１実施例を説明する。
【００２６】
ベルト保持具１は、図２に示すように、縫製地１１０と保持紐２００が一体化した保持紐一体型縫製部材１００からなることができる。
【００２７】
前記縫製地１１０に連結される前記保持紐２００はその両端が縫製地１１０の長手方向の両端に連結されることにより、前記縫製地１１０と前記保持紐２００の間にベルトが通過することができるように構成される。
【００２８】
もしくは、前記保持紐２００の両端が縫製地１１０の両側に縫製される場合、前記保持紐２００の両側端部は前記縫製地１１０の長手方向一側に偏った位置に連結されるように構成され、偏った端部に形成されることが好ましい。
【００２９】
また、第１実施例の他の実施例を説明する。
【００３０】
図３に示すように、縫製地１１０を四角形に構成するにあたり、保持紐２００の端部が連結される縫製地１１０の長手方向に保持紐２００の両端の間に凹んでいる露出防止凹部１１１が形成されるように構成されることもできる。
【００３１】
前記露出防止凹部１１１は、縫製地１１０が衣服とともに本縫製過程で縫製されるとき、縫製地の端部が衣服の外側に露出される部分を最小化し、保持紐のみ衣服の外部に露出されるようにするためのものである。これは、返し縫いの際、縫製地１１０が作業者の作業未熟又は間違いによる、保持紐に連結された縫製地端部の衣服の外部への露出を最小化するために、縫製地１１０と保持紐２００が連結される中間部を凹むように形成したものである。
【００３２】
また、本発明ベルト保持具１の第２実施例を説明する。
【００３３】
縫製地１１０は、図４に示すように、両側に一対をなすように分離された分離型縫製地１２０、１２０’からなることもできる。
【００３４】
分離型に形成された分離型縫製地１２０、１２０’は周囲の辺が互いに対向するようにそれぞれ同一平面上にあるように配列されて構成されたものであり、本発明の実施例ではそれぞれ四角形をなすように構成される。
【００３５】
また、分離型縫製地１２０、１２０’に連結される保持紐２００はその両端がそれぞれの分離型縫製地１２０、１２０’に連結される。
【００３６】
ここで、保持紐２００の両側端部はそれぞれの分離型縫製地１２０、１２０’の中央側から対向する辺の端部に近接した位置に形成されることが好ましい。
【００３７】
また、第２実施例の他の実施例を説明する。
【００３８】
図５に示すように、両側分離型縫製地１２０、１２０’の対向する辺において、膨らんでいる曲率をなす半円形に突出する半円形突部１２１が形成されるように構成されることもできる。半円形突部１２１は、分離型縫製地１２０、１２０’が衣服とともに縫製される過程で保持紐と接する縫い代線に沿って縫製地が縫製されるが、縫製地が四角形の場合に縫製地の端部が縫い代線の外部に露出される可能性があるため、縫製地が外側に露出される部分を最小化して、作業未熟によって衣服の外部に露出されることを防止するためである。
【００３９】
以下、本発明による女性用衣服のベルト保持具を衣服に縫製する縫製方法を添付図面に基づいて詳細に説明する。
【００４０】
図６は本発明による女性用衣服のベルト保持具の縫製方法を示した全体工程図である。
【００４１】
図６に示すように、本発明による女性用衣服のベルト保持具の縫製方法は、仮縫い段階（Ｓ１００）と、本縫製段階（Ｓ２００）と、保持紐引出段階（Ｓ３００）とを含んでなるものであり、衣服が前面部と後面部からなる場合には、これらの前面部と後面部を連結する返し縫い過程で行えばよい。
【００４２】
仮縫い段階（Ｓ１００）は次のようである。
【００４３】
図７に示すように、ベルト保持具１は、衣服２０の前面部２１と後面部２２を外側面が互いに対向するように重畳させた後、縫い代線に沿って返し縫いで固定する過程に先立ち、前面部２１又は後面部２２のいずれか一つの縫い代に縫製地をともに縫製する。
【００４４】
このとき、ベルト保持具１の縫製地１１０は返し縫いされる前面部２１と後面部２２間の縫い代に返し縫いされる。ベルト保持具１の保持紐２００が衣服２０の外部に露出されるように縫い代の外側に位置するようにし、縫製地１１０は衣服の内側縫い代に位置するように返し縫いを行う。１次返し縫いの際、縫製地１１０を衣服２０の前面部２１及び後面部２２のいずれか一つの縫い代線に合わせて位置させた後、前記縫製地１１０の長手方向に沿って前記縫製地１１０の幅の中間部分を縫製してベルト保持具１を縫い代に仮縫いした後、２次返し縫いを行うことが好ましい。
【００４５】
すなわち、ベルト保持具１を衣服２０の縫い代に１次返し縫いして仮縫いを行うことは返し縫い過程で先に縫製地１１０の位置を指定するためであり、引き続いて行う２次返し縫い過程での作業を仕上げようとするものである。
【００４６】
本縫製段階（Ｓ２００）は次のようである。
【００４７】
図８に示すように、このように衣服２０の縫い代に１次返し縫いによって縫製地１１０を仮縫いした状態で衣服２０を２次返し縫いするとともにベルト保持具１を全く固定するための工程であり、前記縫製地１１０が仮縫いされた前面部２１又は後面部２２に仮縫いされていない前面部２１又は後面部２２を互いに外側面が対向するように重畳させた後、縫い代線に沿って２次返し縫いを行う。
【００４８】
この際、保持紐２００は縫い代線を基準に衣服の外側に露出されるようにする。ここで、１次返し縫いの際、縫製地１１０は衣服の外側に露出されないように縫い代線に沿って長手方向に縫い代に位置するようにした後、前記縫製地１１０の幅の中間部分を長手方向に１次返し縫いする。その後、衣服の前面部と後面部の外側面が対向するように重畳させた状態で、縫い代線に沿って２次返し縫いする。この際、縫製地１１０が２次返し縫い線に対して衣服の内側に位置するようにして前記縫製地１１０が衣服の外側に露出されないように縫製する。
【００４９】
すなわち、このようにベルト保持具１を衣服２０の２次返し縫い過程で保持紐のみ衣服の外部に露出されるように固定することにより、ベルト保持具１を衣服に固定する。
【００５０】
その後、保持紐引出段階（Ｓ３００）は次のようである。
【００５１】
図９に示すように、通常に衣服２０の前面部２１と後面部２２を返し縫いした状態で衣服を覆すことになる。このように前面部２１と後面部２２を覆してベルト保持具１の保持紐２００を外側に引き出すことになる。
【００５２】
一方、本発明による女性用衣服のベルト保持具の縫製方法の適用において、通常の衣服は前面部と後面部に分離されて形成され、デザインによって分離される前面部と後面部の上部及び下部を一体に形成するか、前面部及び後面部のいずれか一方又は両方が分離された構成にして返し縫いで連結して製作するようになる。
【００５３】
本発明による女性用衣服のベルト保持具の縫製方法の適用において、図７〜図９に示すように、前面部２１及び後面部２２の上部及び下部が一体化した構造をなす衣服に適用する場合は、図２及び図３に示すように、ベルト保持具１の縫製地１１０を四角形に保持紐と一体化した構造をなす縫製地１１０を適用することが好ましく、前面部２１と後面部２２を返し縫いする過程で縫製すればよい。
【００５４】
また、本発明による女性用衣服のベルト保持具の縫製方法の適用において、図１０に示すように、前面部２１及び後面部２２のいずれか一方又は両方が上部及び下部に分離された構造をなす衣服２０に適用するときには、図４及び図５に示すように、ベルト保持具１の縫製地１１０として、両側の一対に分離された構造をなす分離型縫製地１２０、１２０’を適用することが好ましい。
【００５５】
この場合、分離されたいずれか一方の分離型縫製地１２０は上部の前面部２１と後面部２２を返し縫いする過程で縫い代にともに縫製し、他方の分離型縫製地１２０’は下部の前面部２１と後面部２２を返し縫いする過程で縫い代にともに縫製し、ついで衣服２０の上部と下部を縫い代線に沿って返し縫いすることによって連結される。
【００５６】
すなわち、衣服２０が上部及び下部に分離された場合、縫製地１１０を適用すれば、縫製地１１０が衣服２０の上部及び下部を返し縫いする過程で返し縫い部を通して外部に露出されるおそれの問題が発生することがある。よって、分離型縫製地１２０、１２０’を適用することが好ましいであろう。
【００５７】
以上のように、本発明による女性用衣服のベルト保持具及びそのベルト保持具の縫製方法は、女性用衣服にベルト保持具を形成するにあたり、予め縫製地と保持紐が一体化した構造のベルト保持具を構成し、衣服の前面部と後面部を返し縫いする過程でともに縫製して形成することができるようにすることにより、別途の手作業でベルト保持具を形成する工程なしに適用することができる。
【００５８】
一方、本発明による女性用衣服のベルト保持具の適用において、ベルト保持具としての使用はもちろんのこと、多様な機能として使用することもできる。一実施例として、図１１のように女性用衣服２０を構成する場合、スカートなどのように内皮２５と外皮２６からなる衣服２０に適用するとき、図４及び図５のように両側に分離されて構成された分離型縫製地１２０、１２０’をなすベルト保持具１を適用することができる。この場合、いずれか一方の分離型縫製地１２０は内皮２５に縫製し、他方の分離型縫製地１２０’は外皮２６に縫製すれば良い。
【００５９】
分離型縫製地１２０、１２０’をそれぞれ内皮２５と外皮２６に形成すれば、その両側分離型縫製地１２０、１２０’を連結している保持紐２００を介して内皮２５と外皮２６が連結され、着用時に内皮２５と外皮２６間の一定区間（保持紐の長さ区間）で遊動性を付与することになるので、内皮２５と外皮２６の過度な遊動によって衣服の着こなしが崩れることを防止することはもちろんのこと、その着心地を向上させることができる。
【００６０】
すなわち、本発明による女性用衣服のベルト保持具１は、その使用において、ベルト保持具として限定して使われるものではなく、多様な機能の衣服に適用することができるなど、その実用性が一層向上ことになる。
【符号の説明】
【００６１】
１    ベルト保持具
２０    衣服
２１    前面部
２２    後面部
２５    内皮
２６    外皮
１００    保持紐一体型縫製地
１１０    縫製地
１１１    露出防止凹部
１２０、１２０’    分離型縫製地
１２１    半円形突部
２００    保持紐
Ｓ１００    仮縫い段階
Ｓ２００    本縫製段階
Ｓ３００    保持紐引出段階
【図１】
0006826271.tif 000002
【図２】
0006826271.tif 000003
【図３】
0006826271.tif 000004
【図４】
0006826271.tif 000005
【図５】
0006826271.tif 000006
【図６】
0006826271.tif 000007
【図７】
0006826271.tif 000008
【図８】
0006826271.tif 000009
【図９】
0006826271.tif 000010
【図１０】
0006826271.tif 000011
【図１１】
0006826271.tif 000012